(57)【要約】【課題】場所を取らず、簡単にコンパクトな燃焼器具を提供する。【解決手段】バーナ部９に燃焼空気を供給する燃焼ファン２３のファンケース２５と、バーナ部９に一旦貯留した燃油を供給する固定タンク１８とを、置き台１６上に並設して配置したもので、前記ファンケース２５を扁平状として該扁平面で置き台１６に設置すると共に、固定タンク１８は徐々に上へ広がる擂り鉢状とし、更にこのファンケース２５と固定タンク１８とは一部を重合して設置したことで、器具の幅寸法を大きく詰めることが出来、極めてコンパクトな燃焼器具が提供されるものであり、更にファンケース２５や固定タンク１８を小さくする必要がないので、今までの性能、能力を維持しながらコンパクト化が可能で、安心して使用出来るものである。【選択図】  図９
2006078119.tif 000002
【特許請求の範囲】
【請求項１】
バーナ部に燃焼空気を供給する燃焼ファンのファンケースと、バーナ部に一旦貯留した燃油を供給する固定タンクとを、置き台上に並設して配置したものに於いて、前記ファンケースを扁平状として該扁平面で置き台に設置すると共に、固定タンクは徐々に上へ広がる擂り鉢状とし、更にこのファンケースと固定タンクとは一部を重合して設置した事を特徴とする燃焼器具。
【発明の詳細な説明】
【技術分野】
【０００１】
この発明は、燃油の燃焼によって発生する熱を用いて暖房等を行う燃焼器具に関するものである。
【背景技術】
【０００２】
従来よりこの種のものに於いては、バーナ部に燃焼空気を供給する燃焼ファンと、バーナ部に一旦貯留した燃油を供給する固定タンクとを、置き台上に並設して配置するものはあった。（例えば、特許文献１参照。）
【特許文献１】特公平７−１０４０４９号公報
【発明の開示】
【発明が解決しようとする課題】
【０００３】
ところでこの従来のものでは、燃焼ファンと固定タンクとの間に大きなスペースがあり、又このスペースをなくして器具をコンパクト化しても、燃焼ファンのファンケースと固定タンクの大きさ分はそのまま残り、これ以上コンパクト化は出来ないものであった。
【課題を解決するための手段】
【０００４】
この発明はこの点に着目し上記課題を解決する為、特にその構成を、バーナ部に燃焼空気を供給する燃焼ファンのファンケースと、バーナ部に一旦貯留した燃油を供給する固定タンクとを、置き台上に並設して配置したものに於いて、前記ファンケースを扁平状として該扁平面で置き台に設置すると共に、固定タンクは徐々に上へ広がる形状とし、更にこのファンケースと固定タンクとは一部を重合して設置したものである。
【発明の効果】
【０００５】
この発明によれば、扁平状のファンケースと固定タンクを一部重合して設置することにより、器具の幅寸法を大きく詰めることが出来、極めてコンパクトな燃焼器具が提供されるものであり、更にファンケースや固定タンクを小さくする必要がないので、今までの性能、能力を維持しながらコンパクト化が可能で、安心して使用出来るものである。
【発明を実施するための最良の形態】
【０００６】
次にこの発明の一実施形態を図面に基づき説明する。
１は燃焼器具を構成する温風暖房機本体で、２は前面上部に備えられた合成樹脂製の操作部、３は温風を案内するルーバ４が取り付けられた温風吹出口、５は背面の温風取入口６にファンガード７を介して取り付けられた対流ファン、８は前記温風取入口６と温風吹出口３とを連通する送風ボックス、９は前記送風ボックス８内にバーナヘッド１０を突出して設けられたバーナ部、１１は前記バーナヘッド１０を囲堯して燃焼空間を形成する燃焼筒、１２は前記送風ボックス８内で前記燃焼筒１１の真上に配設された遮熱板である。
【０００７】
前記機器本体１の外装体は、前面を覆う前パネル１３と、上面を覆う上面板１４と、側面及び背面を覆う背面板１５とを置き台１６の上に固定して構成されている。
【０００８】
次に１７は灯油などの液体燃料を供給するカートリッジ式タンク、１８はこのカートリッジ式タンク１７からの燃油を一旦貯留する固定タンク、１９は固定タンク１８内の燃料量が所定量以下になるとオンするフロートスイッチ、２０は固定タンク１８内の燃料を送油管２１及び送油ノズル２２を介してバーナ部９へ圧送する電磁ポンプ、２３は燃焼用空気を送風管２４を介して送風する燃焼ファンである。
【０００９】
前記固定タンク１８は、徐々に上へ広がる擂り鉢状として、機器本体１の置き台１６上に設置されるものであり、又燃焼ファン２３のファンケース２５は、扁平形状で扁平面側をしたにして置き台１６上に設置され、このファンケース２５の一側方は、擂り鉢状の固定タンク１８下方側壁に接し、上方から見ると一部重合したように見えるもので、この重合によって器具の幅寸法を大きく詰めることが出来、極めてコンパクトな燃焼器具が提供されるものである。
【００１０】
２６は液体燃料を気化する気化器、２７は前記気化器２６を燃料が気化可能な温度まで加熱する気化ヒータ、２８は前記気化器２６の温度を検知する気化温度センサ、２９はバーナヘッド８の外周に設けられた炎孔網、３０は燃焼熱を気化器２６へ回収する熱回収リング、３１は気化ガスにスパーク放電して点火する点火器、３２は炎の状態を監視するフレームロッドである。
【００１１】
３３はこの機器本体１の制御を行う制御装置であって、マイコン（図示せず）を中心に構成されている。３４は前記操作部２に設けられた操作部基盤であり、操作部２に設けられた各種スイッチや表示ランプがこの操作部基盤３４を介して前記制御装置３３に接続されている。
【００１２】
３５は運転開始からの時間をカウントして所定時間（３時間）経過すると自動消火させる消し忘れタイマー手段で、３６は予め設定されたタイマー時刻に機器の運転を開始させ、運転開始から所定時間（１時間）経過すると自動消火させるおはようタイマー手段で、３７は残り燃料量が所定量以下になると前記電磁ポンプ２０の駆動パルス数をカウント開始し、このカウントしたパルス数が所定値以上になると自動消火させる燃料切れ消火手段である。尚、この燃料切れ消火手段３７は、残り燃料量が所定量以下になってから一定時間の経過で自動消火させるものや、残り燃料量が前記の所定量より少ない第２の所定量以下になったことをを第２のフロートスイッチにより検知して自動消火させるものでもよい。
【００１３】
前記操作部２の中央には、室温や設定温度及び現在時刻やタイマー時間、警告文字を表示する表示部３８を位置させ、この表示部３８の向かって右側には、通常良く使用する直接燃焼に関係のあるスイッチで、機器の運転／停止を指示する運転スイッチ３９と、前記消し忘れタイマー手段３５のカウント時間をリセットして再度所定時間（３時間）のカウントを開始させる延長スイッチ４０とを、運転スイッチ３９を上にして上下に配置すると共に、設定温度の変更やタイマー時間の設定変更を行うアップスイッチ４１とダウンスイッチ４２を、設定値のアップと分を変更するアップスイッチ４１を上にして、設定値のダウンと時を変更するダウンスイッチ４２を上下に配置している。
【００１４】
更に表示部３８の向かって左側には、該表示部３８の表示を温度表示、時刻表示、タイマー時間表示と切替る表示切替スイッチ４３と、気化器２６を保温して運転スイッチ３９の運転指示から５秒で点火させる５秒点火スイッチ４４とを、表示切替スイッチ４３を上にして上下に配置すると共に、設定した時間に運転を開始させるタイマースイッチ４５と、子供の悪戯を防止する為に運転スイッチ３９の停止指示のみしか受け付けないようにするチャイルドロックスイッチ４６とを、タイマースイッチ４５を上にして上下に配置している。
【００１５】
前記運転スイッチ３９には運転ランプ４７が設けられ、タイマースイッチ４５にはタイマーランプ４８が設けられており、更に各スイッチの操作時や何等かの警告時に音を発するブザー４９が設けられているものである。
【００１６】
５０は操作部２内の表示部３８下方に横長のバー状に設けられたカラー表示器で、運転中は視覚的に後退作用のある後退色の緑色に点灯し、且つ消し忘れタイマー手段３５やおはようタイマー手段３６による自動消火の一定時間前より緑色で点滅することにより消火を予告し、また残り燃料量が所定量以下となり燃料切れ消火手段３７により消火する際には視覚的に進出作用のある進出色である赤色に点灯・点滅することで、より目に付きやすい色にて使用者に給油を促すものである。
【００１７】
このカラー表示器５０は、赤色及び緑色の二色に発光する発光部５１とこの発光部５１の光を周囲に拡散する拡散レンズ５２とにより構成されている。
【００１８】
この発光部５１は、操作部２に貫通穴５３を形成し、その一端底部に露呈する操作部基盤３４に直接赤色ＬＥＤ５４を２個と、緑色ＬＥＤ５５の３個を交互に横一列に配置してなり、更にこの貫通穴５３の他端に裏面に四角錐状の凹部を多数設けてプリズムとした拡散レンズ５２を操作部２がフラットとなるようにはめ込んで構成されており、最後にはこの上から操作部２全体に印刷が施され、拡散レンズ５２との対向部分は透明としたフイルム５６を貼り付けるものである。
【００１９】
次にこの実施形態の作動について、図１０、図１１のフローチャートに基づいて説明する。
先ず、運転スイッチ３９が押されると（ステップ１、以下Ｓ１と略す）、オン操作の確認音「ピッ」をブザー４９から発し（Ｓ２）、運転スイッチ３９に設けられた運転ランプ４７を遅い点滅周期（０．５秒オン／０．５秒オフ）で点滅開始し（Ｓ３）、気化ヒータ２７に通電開始して気化器２６の予熱を開始し（Ｓ４）、確認音により操作が受け付けられたことと運転ランプ４７の点滅状態により気化器２６が予熱状態に入ったことがわかる。
【００２０】
次に、気化温度センサ２８が点火可能な温度を検知して予熱が完了すると（Ｓ５）、カラー表示器５０の緑色ＬＥＤ５５を点灯し（Ｓ６）、運転ランプ４７を点滅から点灯に変化させて（Ｓ７）、燃焼ファン２３、電磁ポンプ２０、点火器３１、対流ファン５を駆動して点火動作を行う（Ｓ８）。このように、カラー表示器５０を緑や青などの後退色で点灯することで視覚的にうるさくすることなく燃焼を行っていることを表示する。
【００２１】
運転が開始されると前記消し忘れタイマー手段３５を作動させて運転時間のカウントを開始し（Ｓ９）、次にフロートスイッチ１９がオンしたかをチェックする（Ｓ１０）。
【００２２】
前記Ｓ１０で燃料量がフロートスイッチ１９がオンするレベルまで減っていないと、消し忘れタイマー手段３５のカウント時間が消火時間の１５分前に達しているかをチェックし（Ｓ１１）、消火時間の１５分前であったら、ブザー４９から「ピー・ピー・ピー」という報知音を発生させ（Ｓ１２）、カラー表示器５０の緑色ＬＥＤ５３を遅い点滅周期（２秒オン／１秒オフ）で点滅させ（Ｓ１３）、室温を表示していた表示部３８のセグメントに「ＯＦＦ」の文字を点滅表示（０．５秒オン／０．５秒オフ）して（Ｓ１４）、ブザー４９による音とカラー表示器５０による光と表示部３８による文字表示により自動消火が近いことを使用者に確実に知らせる。
【００２３】
そして、消し忘れタイマー手段３５のカウント時間が消火時間の１０分前に達したら（Ｓ１５）、再びブザー４９から「ピー・ピー・ピー」という報知音を発生させ（Ｓ１６）、自動消火が近いことを使用者に知らせる。
【００２４】
更に消し忘れタイマー手段３５のカウント時間が消火時間の３分前に達したら（Ｓ１７）、再びブザー４９から「ピー・ピー・ピー」という報知音を発生させ（Ｓ１８）、そしてカラー表示器５０の緑色ＬＥＤ５５を遅い点滅周期から速い点滅周期（１秒オン／０．５秒オフ）に変更して点滅させ（Ｓ１９）、自動消火までの残り時間が短くなったことを視覚的にわかりやすく使用者に知らせることができる。
【００２５】
そして、消し忘れタイマー手段３５のカウント時間が消火時間をカウントしたら（Ｓ２０）、ブザー４９から「ピー・ピー・ピー」という報知音を発生させて（Ｓ２１）自動消火を行うことを音で報知し、カラー表示器５０の緑色ＬＥＤ５５及び運転ランプ４７を消灯させ（Ｓ２２、Ｓ２３）、表示部３８の「ＯＦＦ」文字表示を点滅状態から点灯状態へと変化させ（Ｓ２４）、そして燃焼ファン２３、電磁ポンプ２０、対流ファン５を駆動停止して消火動作を行う（Ｓ２５）。
【００２６】
消火動作を行った後に、運転スイッチ３９がオフされると（Ｓ２６）、オフ操作の確認音「ピピッ」をブザー４９から発生させ（Ｓ２７）、表示部３８の「ＯＦＦ」文字表示を消灯させ、時計表示にする（Ｓ２８）。このように「ＯＦＦ」文字表示は運転スイッチ３９がオフされるまで継続するので、機器の運転が消し忘れタイマー手段３５により消火されたことを消火後にも知ることができる。
【００２７】
次に、前記Ｓ１０で固定タンク１８内の残り燃料量が所定量以下でフロートスイッチ１９がオンした場合について説明すると、ブザー４９から「ピピピッ」という報知音を３回連続で発生させ（Ｓ２９）、カラー表示器５０の緑色ＬＥＤ５５を消灯し（Ｓ３０）、同時にカラー表示器５０の赤色ＬＥＤ５４を遅い点滅周期（２秒オン／１秒オフ）で点滅開始し（Ｓ３１）、さらに表示部３８の「給油」という文字を点滅表示（１秒オン／０．５秒オフ）開始する（Ｓ３２）。
【００２８】
このように、カラー表示器５０の表示を通常運転中の後退色である緑色から進出色である赤色に変えることで、残り燃料量が少なくなったことを視覚的により積極的且つわかりやすく表示し、更にブザー４９による音とカラー表示器５０による光と表示部３８による「給油」という文字の表示により燃料切れによる自動消火が近いことを使用者に確実に知らせて給油を促す。
【００２９】
次に、電磁ポンプ２０の駆動パルス数をカウント開始し（Ｓ３３）、このカウントしたパルス数が所定値以上かどうかを判定する（Ｓ３４）。尚このカウントするパルス数の所定値は、固定タンク１８内の燃料が完全に空にならないように設定されており、強燃焼で約２０分、弱燃焼で約４０分の燃焼が継続できる。
【００３０】
ここでカウントしたパルス数が所定値に達した場合には（Ｓ３４でＹｅｓ）、ブザー４９から「ピピピッ」という報知音を３回連続で発生させ（Ｓ３５）、カラー表示器５０の赤色ＬＥＤ５４を遅い周期の点滅から速い周期（１秒オン／０．５秒オフ）の点滅に変えて点滅開始し（Ｓ３６）、更に運転ランプ４７を点灯状態から速い点滅周期（０．２秒オン／０．２秒オフ）での点滅状態に変えて（Ｓ３７）、燃料切れによる自動消火が行われることを視覚的にわかりやすく使用者に知らせた後に、燃焼ファン２３、電磁ポンプ２０、対流ファン５を駆動停止して消火動作を行う（Ｓ３８）。
【００３１】
この消火動作を行った後も、運転スイッチ３９がオフされるまではカラー表示器５０の赤色ＬＥＤ５４及び運転ランプ４７及び表示部３８の「給油」という文字の点滅表示を継続するようにしているので、運転終了後もカラー表示器５０の赤色ＬＥＤ５４の速い点滅を継続して、消火時に使用者が機器本体１の近くにいなかった場合にも燃料切れで運転が停止したことを離れた位置からも明確にわかるように表示でき、さらに給油が必要であることを強く訴えることができ、使い勝手のよいものである。
【００３２】
次に、運転スイッチ３９がオフされると（Ｓ３９）、オフ操作の確認音「ピピッ」を発生させ（Ｓ４０）、カラー表示器５０の赤色ＬＥＤ５４及び運転ランプ４７及び表示部３８を消灯させる（Ｓ４１、Ｓ４２、Ｓ４３）ので、使用者が給油を行う意志がないときは、運転スイッチ３９をオフ操作すれば消灯させることができるので、カラー表示器５０の赤色ＬＥＤ５４の点滅表示が視覚的にうるさく感じ邪魔であるときにも容易に対応できるものである。
【００３３】
このように、運転開始から所定時間の経過による自動消火の予告は前記カラー表示器５０を緑色（緑、青などの後退色）に点滅することで行い、残り燃料量が少なくなったことによる自動消火の予告は前記カラー表示器５０を赤色（赤、黄などの進出色）に点滅することで視覚に強く訴えて注意をより積極的に喚起可能にしたので、カラー表示器５０の発色を確認すれば自動消火の予告の原因が明確にわかり、使用者は延長スイッチ４０を押したり給油を行うなどして適切な対応をすることができ、使い勝手がよい。
【００３４】
また、運転スイッチ３９のオン操作で点灯（点滅）し、オフ操作で消灯して運転中であることを表示する運転ランプ４７と、燃焼中であることを表示しさらに自動消火が行われることを予告するカラー表示器５０とを独立して別体に設けたので、運転スイッチ３９の操作の確認は運転スイッチ３９の近傍に設けた運転ランプ４７にて操作する手元で確認でき、また燃焼中であることと自動消火が行われることの予告は、操作部２で大きく表示されるカラー表示器５０でも容易に確認でき、機器の現在の運転状態をより多く且つわかりやすく表示できるもので、非常に使い勝手がよいものである。
【００３５】
次に、フロートスイッチ１９がオンしてから消火するまでの約２０〜４０分の間に消し忘れタイマー手段３５により自動消火される場合が考えられるが、この時の作動について説明する。
【００３６】
前記Ｓ１０でフロートスイッチ１９がオンすると、ブザー４９から「ピピピッ」という報知音を３回連続で発生させ（Ｓ２９）、それまで点灯していたカラー表示器５０の緑色ＬＥＤ５５を消灯し（Ｓ３０）、同時にカラー表示器５０の赤色ＬＥＤ５４を遅い点滅周期（２秒オン／１秒オフ）で点滅開始し（Ｓ３１）、更に表示部３８の「給油」という文字を点滅表示（１秒オン／０．５秒オフ）開始し（Ｓ３２）、そして電磁ポンプ２０の駆動パルス数をカウント開始する（Ｓ３３）。
【００３７】
次にカウントしたパルス数が所定値以上かを判定し、ここでは所定値以下であるので（Ｓ３４でＮｏ）、消し忘れタイマー手段３５のカウントした時間が消火時間の１５分前であるかをチェックする（Ｓ４４）。
【００３８】
この消し忘れタイマー手段３５のカウント時間が消火時間の１５分前であった場合は（Ｓ４４でＹｅｓ）、ブザー４９から「ピー・ピー・ピー」という報知音を発し（Ｓ４５）、カラー表示器５０の表示は変更せず赤色ＬＥＤ５４の遅い点滅を継続した状態で、室温を表示していた表示部３８のセグメントに「ＯＦＦ」の文字を点滅表示させて（Ｓ４６）、消し忘れタイマー手段３５による自動消火が近いことを使用者に知らせる。
【００３９】
そして再びＳ３４に戻りパルス数が所定値に達していないのでＳ４４へ進み、Ｓ４４でＮｏであるのでＳ４７へ進み、同じように消し忘れタイマー手段３５のカウント時間が消火時間の１０分前かどうかをチェックする。消火時間の１０分前になると１５分前と同様にカラー表示器５０の表示は変更せず赤色ＬＥＤ５４の遅い点滅を継続した状態でブザー４９から「ピー・ピー・ピー」という報知音を発して（Ｓ４８）消し忘れタイマー手段３５による自動消火が近いことを使用者に知らせる。また消火時間の３分前も同様である。
【００４０】
そして消し忘れタイマー手段３５のカウント時間が消火時間に達すると（Ｓ５０）、ブザー４９から「ピー・ピー・ピー」という報知音を発し（Ｓ５１）、カラー表示器５０の赤色ＬＥＤ５４及び運転ランプ４７を消灯し（Ｓ５２、Ｓ５３）、表示部３８の「ＯＦＦ」文字表示を点滅から点灯に変えて（Ｓ５４）、消し忘れタイマー手段３５による自動消火が行われることを報知したら、燃焼ファン２３、電磁ポンプ２０、対流ファン５を駆動停止して消火動作を行う（Ｓ５５）。
【００４１】
消火動作を行った後に、運転スイッチ３９がオフされると（Ｓ５６）、オフ操作の確認音「ピピッ」を発生させ（Ｓ５７）、表示部３８の「ＯＦＦ」文字表示及び給油文字表示を消灯させる（Ｓ５８、Ｓ５９）。このように「ＯＦＦ」文字表示及び給油文字表示は運転スイッチ３９がオフされるまで継続するので、機器の運転が消し忘れタイマー手段３５により消火されたこと及び残り燃料量が少なくなっていることを消火後に知ることができる。
【００４２】
尚、消し忘れタイマー手段３５により報知音を発してから、消し忘れタイマー手段３５の消火時間が来る前に（Ｓ４４〜Ｓ５０）、電磁ポンプ２０のパルス数が所定値以上になった場合は、前記Ｓ３４でＹｅｓとなり前記Ｓ３５〜Ｓ４３の動作を行い、カラー表示器５０を赤色で速い点滅周期で点滅させるようにして、燃料切れで運転が停止したことを離れた位置からも明確にわかるように表示する。
【００４３】
また、前記Ｓ１０でフロートスイッチ１９がオンする前に、消し忘れタイマー手段３５により報知音を発してから消し忘れタイマー手段３５の消火時間が来る前に（Ｓ１１〜Ｓ２０）、残り燃料量が減ってフロートスイッチ１９がオンすると（Ｓ１０でＹｅｓ）、前記Ｓ２９へ進み、カラー表示器５０を赤色の遅い点滅周期で点滅させて、燃料切れ（Ｓ３４でＹｅｓ）か、運転開始から３時間経過（Ｓ５０でＹｅｓ）のどちらか早い方の消火制御を行う。
【００４４】
このように、一度カラー表示器５０を緑色で点滅表示を開始しても、残り燃料量が少なくなったときはカラー表示器５０を赤色の点滅表示に変えて、消し忘れタイマー手段３５による消火予告よりも残り燃料量が少なくなったことを優先してカラー表示器５０に表示するようにしているので、残り燃料量が少なくなったことを確実に知ることができる。
【００４５】
また、燃料切れ消火手段３７により消火されたときは、給油を行わなければ再度運転開始してもすぐ消えてしまうので、給油の必要性を確実に報知するため消火後もカラー表示器５０を進出色である赤色で速い点滅を行わせて燃料切れで消火したことを視覚的に積極的に報知し、また、消し忘れタイマー手段３５により消火された時は、運転スイッチ３９を再投入するだけで他の復帰作業を必要とせずに再度運転開始して運転継続できるので、カラー表示器５０は消灯しておくものである。
【００４６】
次に、タイマースイッチ４５がオンされ、おはようタイマー手段３６がセットされた場合について前記の消し忘れタイマー手段３６による自動消火と違う部分について説明すると、図１０のＳ１〜Ｓ９までが図１２のＳ６０〜Ｓ７０に入れ替わるもので、先ず、タイマースイッチ４５がオンされると（Ｓ６０）、オン操作の確認音「ピッ」をブザー４９から発し（Ｓ６１）、タイマースイッチ４５に設けられたタイマーランプ４８を点灯する（Ｓ６２）。
【００４７】
そして、タイマー時刻に達すると（Ｓ６３）、運転ランプ４７を遅い点滅周期（０．５秒オン／０．５秒オフ）で点滅開始し（Ｓ６４）、気化ヒータ２７に通電開始して気化器２６の予熱を開始し（Ｓ６５）、気化温度センサ２８が点火可能な温度を検知して予熱が完了すると（Ｓ６６）、カラー表示器５０の緑色ＬＥＤ５５を点灯し（Ｓ６７）、運転ランプ４７を点滅から点灯に変化させて（Ｓ６８）、燃焼ファン２３、電磁ポンプ２０、点火器３１、対流ファン５を駆動して点火動作を行う（Ｓ６９）。
【００４８】
そして、運転開始から１時間のタイマー（便宜的に消し忘れタイマーと表す）のカウントを開始する（Ｓ７０）。その後は消し忘れタイマーのカウント時間が１時間であることを除いて図１０のＳ１０以降と同一であるので説明を省略する。
【００４９】
尚、このおはようタイマー手段３６はタイマースイッチ４５のオフ操作によって解除されるもので、運転スイッチ３９のオフ操作では解除されず、翌日のタイマー時刻が来れば前記Ｓ６３からのステップを繰り返して動作するものである。
【００５０】
更に上記の各種作動を行わせる為の操作部２に備えられた各種操作スイッチの配置は、表示部３８を中央に設け、向かって右側に通常良く使用する直接燃焼に関係するスイッチ類である運転スイッチ３９、延長スイッチ４０、アップスイッチ４１、ダウンスイッチ４２をまとめたことで、大半を占める右利きでは、重要で操作回数の多いスイッチを表示部３８を見ながら容易に操作出来、操作がやりやすく誤操作する心配もなく使用勝手が極めて良いものであり、更に補助的な機能のスイッチである表示切替スイッチ４３、５秒点火スイッチ４４、タイマースイッチ４５、チャイルドロックスイッチ４６を左側に配置したことで、誤って操作されることがなく確実な操作が可能で、常に安心して使用出来るものである。
【００５１】
また、運転スイッチ３９と延長スイッチ４０は、運転スイッチ３９を上にして上下に配置され、アップスイッチ４１とダウンスイッチ４２は、アップスイッチ４１を上にして上下に配置され、表示切替スイッチ４３と５秒点火スイッチ４４は、表示切替スイッチ４３を上にして上下に配置され、タイマースイッチ４５とチャイルドロックスイッチ４６は、タイマースイッチ４５を上にして上下に配置されているので、操作部２全体をコンパクトにすることが出来、機器全体がコンパクトなものの操作部分に最適であり、場所を取らない操作部２が実現され、しかも運転スイッチ３９と延長スイッチ４０や、アップスイッチ４１とダウンスイッチ４２のように、関連するスイッチが上下配置され、主たるスイッチの運転スイッチ３９が上であったり、増える操作のアップスイッチ４１が上であるから、非常に分かり易く且つ操作しやすく、更に誤動作の心配がなくなるものであり、目の不自由な人でも容易に操作出来るものである。
【００５２】
一方カラー表示器５０によって、運転開始からの時間経過による自動消火が行われるのか燃料切れによる自動消火が行われるのかを離れた位置からも容易且つ確実に確認出来るので、使用者は消火予告の原因に応じて適切な対応をすることが出来、非常に使い勝手が良く、更にカラー表示器５０を操作部２に備えることで、機器の運転状態を各種スイッチを操作しながら容易に知ることが出来、的確な操作が行えるものであり、しかも表示が全て操作部内であることで、極めて見やすいものである。
しかも、カラー表示器５０が表示部３８の直ぐ下にあることで、カラー表示器５０の表示と一緒に文字表示等を見ることが出来、状況確認が容易に素早く行え便利である。
【００５３】
また、カラー表示器５０は操作部２に形成した貫通穴５１に露呈する操作部基盤３４に直接発光部５１を取付けた構成なので、別部品やリード線がいらず、構成も簡単であり、極めて安価にカラー表示器５０を提供出来、コトスダウンを図ることが可能である。
【００５４】
要するに扁平状のファンケース２５と固定タンク１８を一部重合して設置することにより、器具の幅寸法を大きく詰めることが出来、極めてコンパクトな燃焼器具が提供されるものであり、更にファンケース２５や固定タンク１８を小さくする必要がないので、今までの性能、能力を維持しながらコンパクト化が可能で、安心して使用出来るものである。
【図面の簡単な説明】
【００５５】
【図１】この発明一実施形態の燃焼器具の外観斜視図。
【図２】同本体の断面図。
【図３】同燃焼系の断面図。
【図４】同制御系の構成図。
【図５】同操作部の正面図。
【図６】同カラー表示器の分解説明図。
【図７】同カラー表示器の断面図。
【図８】同要部の平面図。
【図９】同要部の正面図。
【図１０】同作動を示すフローチャート。
【図１１】同作動を示すフローチャート。
【図１２】同作動を示すフローチャート。
【符号の説明】
【００５６】
９  バーナ部
１６  置き台
１８  固定タンク
２３  燃焼ファン
２５  ファンケース
【図１】
2006078119.tif 000003
【図２】
2006078119.tif 000004
【図３】
2006078119.tif 000005
【図４】
2006078119.tif 000006
【図５】
2006078119.tif 000007
【図６】
2006078119.tif 000008
【図７】
2006078119.tif 000009
【図８】
2006078119.tif 000010
【図９】
2006078119.tif 000011
【図１０】
2006078119.tif 000012
【図１１】
2006078119.tif 000013
【図１２】
2006078119.tif 000014